(57)【要約】      （修正有）【課題】取付け状態を目視により直接確認しやすいエスカレーターのステップを提供する。【解決手段】上側取付け具１４は、ステップ５の踏み板８の前端部の下方に設けられる。上側取付け具１４において、上側固定部１９は、上側保持部１８より前方に設けられる。下側取付け具１６は、左右方向に延びる支持軸１５を回転軸として上側取付け具１４に回転可能に支持される。下側取付け具１６の下側保持部２１は、支持軸１５より前方に設けられる。下側取付け具１６において、下側固定部２２は、下側保持部２１より前方に設けられる。上側保持部１８および下側保持部２１は、ステップ軸４を上方および下方から保持する。上側固定部１９および下側固定部２２において、上方から下方に取付けボルト１３が通される。下側保持部２１がステップ軸４を保持している状態において、下側固定部２２の上面の法線Ｎは、取付けボルト１３の中心軸に対して後側に傾く。【選択図】図２
2020147394.tif 000002
【特許請求の範囲】
【請求項１】
エスカレーターの運転時において利用者が搭乗する踏み板と、
前記踏み板の前端部の下方に設けられ、ステップ軸を上方から保持する上側保持部を有し、上方から下方に取付けボルトが通される上側固定部を前記上側保持部より前方に有する上側取付け具と、
左右方向に延びる支持軸を回転軸として前記上側取付け具に回転可能に支持され、前記ステップ軸を下方から保持する下側保持部を前記支持軸より前方に有し、上方から下方に前記取付けボルトが通される下側固定部を前記下側保持部より前方に有し、前記下側保持部が前記ステップ軸を保持している状態において前記下側固定部の上面の法線が前記取付けボルトの中心軸に対して後側に傾く下側取付け具と、
を備えるエスカレーターのステップ。
【請求項２】
前記下側固定部は、前記取付けボルトが通る上面の孔から後方に延びるマーカーを有する
請求項１に記載のエスカレーターのステップ。
【請求項３】
前記下側固定部の前記マーカーの左右方向の幅は、前記取付けボルトが通る前記下側固定部の上面の孔の直径以下である
請求項２に記載のエスカレーターのステップ。
【請求項４】
前記取付けボルトの頭部に下方から接触し、前記上側固定部の上面において前記取付けボルトを下方から上方に持ち上げる持上げバネ
を備える請求項１から請求項３のいずれか一項に記載のエスカレーターのステップ。
【請求項５】
前記持上げバネは、前記取付けボルトの中心軸と同軸に設けられるコイルバネである
請求項４に記載のエスカレーターのステップ。
【請求項６】
前記持上げバネは、弾性を有する前後方向の中間部で折り曲げられた板材であり、前後方向の一方の端部が前記上側固定部の上面に固定され、前記取付けボルトの頭部より下方の部分が入り込む切込みを前後方向の他方の端部に有する
請求項４に記載のエスカレーターのステップ。
【請求項７】
前記持上げバネは、弾性を有する前後方向の中間部で折り曲げられた板材であり、前記取付けボルトの頭部より下方の部分が入り込む第１切込みを前後方向の一方の端部に有し、前記取付けボルトの頭部より下方の部分が前記第１切込みより上方において入り込む第２切込みを前後方向の他方の端部に有する
請求項４に記載のエスカレーターのステップ。
【請求項８】
前記持上げバネの前記第１切込みは、左右の辺のいずれかから左右方向の中間部に向かって延び、左右方向の中間部から前記第２切込みの方向に曲がって延びる
請求項７に記載のエスカレーターのステップ。
【発明の詳細な説明】
【技術分野】
【０００１】
本発明は、エスカレーターのステップに関する。
【背景技術】
【０００２】
特許文献１は、エスカレーターのステップの例を開示する。ステップは、踏み板と、口金と、を備える。口金は、踏み板の下方に設けられる。口金は、ステップ軸を挟みこんで保持する。口金が未締結の場合に、レバーは、踏み板を持ち上げる。持ち上げられた踏み板によって、作業員は、取付け状態を間接的に確認する。
【先行技術文献】
【特許文献】
【０００３】
【特許文献１】特開平１０−１２０３５１号公報
【発明の概要】
【発明が解決しようとする課題】
【０００４】
しかしながら、特許文献１のステップの取付け状態を踏み板の上から目視によって直接確認する場合に、作業員は、踏み板の下方の口金を目視する。このとき、作業員は、踏み板の上から踏み板より下方の口金の高さまで頭部を下げるように覗き込んで口金を確認する。このため、ステップの取付け状態の目視による直接確認の作業性は悪い。
【０００５】
本発明の目的は、取付け状態を目視により直接確認しやすいエスカレーターのステップを提供することである。
【課題を解決するための手段】
【０００６】
本発明に係るエスカレーターのステップは、エスカレーターの運転時において利用者が搭乗する踏み板と、踏み板の前端部の下方に設けられ、ステップ軸を上方から保持する上側保持部を有し、上方から下方に取付けボルトが通される上側固定部を上側保持部より前方に有する上側取付け具と、左右方向に延びる支持軸を回転軸として上側取付け具に回転可能に支持され、ステップ軸を下方から保持する下側保持部を支持軸より前方に有し、上方から下方に取付けボルトが通される下側固定部を下側保持部より前方に有し、下側保持部がステップ軸を保持している状態において下側固定部の上面の法線が取付けボルトの中心軸に対して後側に傾く下側取付け具と、を備える。
【発明の効果】
【０００７】
本発明によれば、ステップは、踏み板と、上側取付け具と、下側取付け具と、を備える。踏み板は、エスカレーターの運転時において利用者が搭乗する部分である。上側取付け具は、踏み板の前端部の下方に設けられる。上側取付け具は、ステップ軸を上方から保持する上側保持部を有する。上側取付け具は、上方から下方に取付けボルトが通される上側固定部を上側保持部より前方に有する。下側取付け具は、支持軸を回転軸として上側取付け具に回転可能に支持される。支持軸は、左右方向に延びる。下側取付け具は、ステップ軸を下方から保持する下側保持部を支持軸より前方に有する。下側取付け具は、上方から下方に取付けボルトが通される下側固定部を下側保持部より前方に有する。下側保持部がステップ軸を保持している状態において、下側固定部の上面の法線は、取付けボルトの中心軸に対して後側に傾く。これにより、ステップの取付け状態が目視により直接確認しやすくなる。
【図面の簡単な説明】
【０００８】
【図１】実施の形態１に係るエスカレーターの斜視図である。
【図２】実施の形態１に係るステップの側面図である。
【図３】実施の形態１に係るステップの要部の側面図である。
【図４】実施の形態１に係るステップの要部の斜視図である。
【図５】実施の形態１に係るステップの要部の斜視図である。
【図６】実施の形態１に係るステップの要部の側面図である。
【図７】実施の形態２に係る持上げバネの上面図である。
【図８】実施の形態２に係る持上げバネの取付けを示す図である。
【図９】実施の形態２に係る持上げバネの取付けを示す図である。
【図１０】実施の形態２に係る持上げバネの取付けを示す図である。
【図１１】実施の形態２に係る持上げバネの取付けを示す図である。
【図１２】実施の形態２に係るステップの要部の側面図である。
【図１３】実施の形態２に係るステップの要部の側面図である。
【図１４】実施の形態２の変形例に係るステップの要部の側面図である。
【発明を実施するための形態】
【０００９】
本発明を実施するための形態について添付の図面を参照しながら説明する。各図において、同一または相当する部分には同一の符号を付して、重複する説明は適宜に簡略化または省略する。
【００１０】
実施の形態１．
図１は、実施の形態１に係るエスカレーターの構成図である。
【００１１】
エスカレーター１は、例えば建築物の上階と下階との間に掛け渡される。この例において、エスカレーター１は、上階と下階との間で利用者を輸送する装置である。エスカレーター１は、駆動装置２と、一対のステップチェーン３と、複数のステップ軸４と、複数のステップ５と、一対の手摺６と、一対の手摺駆動装置７と、図示されない制御盤と、を備える。
【００１２】
駆動装置２は、例えばエスカレーター１の上端部に設けられる。駆動装置２は、駆動力を発生させる装置である。駆動装置２は、例えばモーターおよび減速機を備える。
【００１３】
一対のステップチェーン３の各々は、無端状のチェーンである。一対のステップチェーン３の一方は、エスカレーター１の左側に設けられる。一対のステップチェーン３の他方は、エスカレーター１の右側に設けられる。一対のステップチェーン３の各々は、駆動装置２が発生させる駆動力によって循環移動する機器である。
【００１４】
複数のステップ軸４の各々は、一対のステップチェーン３の間にわたって設けられる。複数のステップ軸４の全体は、一対のステップチェーン３に沿って等間隔に環状に連結されている。複数のステップ軸４の各々は、一対のステップチェーン３の循環移動に追従して循環移動する機器である。
【００１５】
複数のステップ５の各々は、複数のステップ軸４の各々に取り付けられる。複数のステップ５の各々は、複数のステップ軸４の各々の循環移動に追従して上側を往路として循環移動する機器である。複数のステップ５は、エスカレーター１の往路の一定傾斜部において階段状に配置される。
【００１６】
一対の手摺６の各々は、無端状の輪である。一対の手摺６の一方は、複数のステップ５より左側に設けられる。一対の手摺６の他方は、複数のステップ５より右側に設けられる。
【００１７】
一対の手摺駆動装置７の一方は、エスカレーター１の左側に設けられる。一対の手摺駆動装置７の他方は、エスカレーター１の右側に設けられる。左側の手摺駆動装置７は、駆動装置２が発生させる駆動力によって左側の手摺６を循環移動させる装置である。右側の手摺駆動装置７は、駆動装置２が発生させる駆動力によって右側の手摺６を循環移動させる装置である。
【００１８】
制御盤は、例えばエスカレーター１の上端部に設けられる。制御盤は、駆動装置２の動作を制御する装置である。駆動装置２の動作は、例えば駆動装置２の運転または停止である。
【００１９】
例えばエスカレーター１の上り運転時に、駆動装置２は、制御盤の制御によって駆動力を発生させる。一対のステップチェーン３の各々は、駆動装置２が発生させた駆動力によって循環移動する。複数のステップ軸４の各々は、一対のステップチェーン３の循環移動に追従して循環移動する。複数のステップ５の各々は、複数のステップ軸４の各々の循環移動に追従して循環移動する。一対の手摺駆動装置７の各々は、駆動装置２が発生させる駆動力によって一対の手摺６の各々を循環移動させる。一対の手摺６の各々は、複数のステップ５の各々の移動速度と同じ移動速度で循環移動する。
【００２０】
エスカレーター１の上り運転時に、利用者は、一対の手摺６の一方をつかんで下階側から複数のステップ５のいずれかに乗る。利用者は、往路を移動するステップ５の上に立ち止まって上階側に移動する。
【００２１】
図２は、実施の形態１に係るステップの側面図である。
図２において、紙面の左右方向がステップ５の前後方向である。図２において、紙面の上下方向がステップ５の上下方向である。図２において、紙面に垂直な方向がステップ５の左右方向である。
図２において、ステップ軸４に取り付けられている状態のステップ５が示される。
【００２２】
ステップ５は、踏み板８と、ライザー９と、一対のブラケット１０と、一対の口金１１と、を備える。
【００２３】
踏み板８は、エスカレーター１の利用者が搭乗する平板状の部分である。踏み板８は、エスカレーター１の往路において水平に配置される。踏み板８は、エスカレーター１の上面をなす。踏み板８は、前端部に一対の貫通孔１２を有する。一対の貫通孔１２の一方は、踏み板８の左側に設けられる。一対の貫通孔１２の他方は、踏み板８の右側に設けられる。
【００２４】
ライザー９は、踏み板８の後端から下方に延びる板状の部材である。
【００２５】
一対のブラケット１０の一方は、ステップ５の左側に設けられる。一対のブラケット１０の他方は、ステップ５の右側に設けられる。左側のブラケット１０は、踏み板８の下面の左端部とブラケット１０の左端部との間にわたって設けられる。右側のブラケット１０は、踏み板８の下面の右端部とブラケット１０の右端部との間にわたって設けられる。
【００２６】
一対の口金１１の一方は、左側のブラケット１０の前端部に設けられる。一対の口金１１の他方は、右側のブラケット１０の前端部に設けられる。一対の口金１１の各々は、踏み板８の前端部の下方に設けられる。
【００２７】
一対の口金１１の各々は、取付けボルト１３と、上側取付け具１４と、支持軸１５と、下側取付け具１６と、を備える。
【００２８】
取付けボルト１３は、ステップ５をステップ軸４に取り付けるために締結されるボルトである。取付けボルト１３の締結は、取付け工具１７によって、踏み板８より上方から貫通孔１２を通して行われる。
【００２９】
上側取付け具１４は、踏み板８の前端部の下方に設けられる。上側取付け具１４は、上側保持部１８と、上側固定部１９と、を有する。上側保持部１８は、ステップ５がステップ軸４に取り付けられている状態においてステップ軸４を上方から保持する部分である。上側保持部１８は、ステップ軸４に上方から対向する曲面を有する。上側固定部１９は、上側保持部１８より前方に設けられる。上側固定部１９は、取付けボルト１３を上方から下方に通す貫通孔２０を有する。
【００３０】
支持軸１５は、左右方向に延びる軸状の部材である。支持軸１５は、上側保持部１８より後方において上側取付け具１４に取り付けられる。
【００３１】
下側取付け具１６は、支持軸１５を回転軸として上側取付け具１４に回転可能に支持される。下側取付け具１６は、下側保持部２１と、下側固定部２２と、を有する。下側保持部２１は、支持軸１５より前方に設けられる。下側保持部２１は、ステップ５がステップ軸４に取り付けられている状態においてステップ軸４を下方から保持する部分である。下側保持部２１は、ステップ軸４に下方から対向する曲面を有する。下側固定部２２は、下側保持部２１より前方に設けられる。下側固定部２２は、取付けボルト１３を上方から下方に通す貫通孔２３を有する。貫通孔２３は、例えば取付けボルト１３に噛み合うネジ孔である。
【００３２】
ステップ５がステップ軸４に取り付けられている状態において、上側固定部１９の下面および下側固定部２２の上面は、互いに平行になる。上側固定部１９の下面および下側固定部２２の上面は、互いに対向する。下側固定部２２の上面の法線Ｎは、取付けボルト１３の中心軸に対して後側に傾く。
【００３３】
図３は、実施の形態１に係るステップの要部の側面図である。
図３において、取付けボルト１３が締結されていない状態の口金１１が示される。
【００３４】
上側固定部１９は、上面の貫通孔２０の周りに窪み２４を有する。窪み２４は、例えば円筒形状である。窪み２４の直径は、取付けボルト１３の頭部の直径より小さい。
【００３５】
一対の口金１１の各々は、持上げバネ２５を備える。
【００３６】
持上げバネ２５は、例えばコイルバネである。持上げバネ２５は、取付けボルト１３の中心軸と同軸に設けられる。持上げバネ２５は、取付けボルト１３の頭部および上側固定部１９の窪み２４の間に圧縮された状態で設けられる。持上げバネ２５は、取付けボルト１３の頭部に下方から接触する。
【００３７】
取付けボルト１３が締結されていない状態において、持上げバネ２５は、取付けボルト１３を下方から上方に持ち上げる。取付けボルト１３の下端は、下側固定部２２より上方まで持ち上げられる。また、上側固定部１９の下面と下側固定部２２の上面との間に隙間が生じる。このとき、作業員は、当該隙間の有無を目視することによってステップ５の取付け状態を確認できる。
【００３８】
図４は、実施の形態１に係るステップの要部の斜視図である。
図４において、取付けボルト１３が締結されていない状態の口金１１の下側取付け具１６が示される。
【００３９】
下側固定部２２は、マーカー２６を上面に有する。
【００４０】
マーカー２６は、例えば下側固定部２２の上面に付された標識である。マーカー２６の色は、取付けボルト１３の色と異なる。マーカー２６の色は、例えば黄色などの明るい色である。マーカー２６は、貫通孔２３から後方に延びる。マーカー２６の左右方向の幅は、例えば貫通孔２３の直径以下である。
【００４１】
取付けボルト１３が締結されていない状態において、取付けボルト１３の下端は、下側固定部２２より上方まで持ち上げられている。このとき、作業員は、貫通孔２３の後方のマーカー２６を目視することによってステップ５の取付け状態を確認できる。
【００４２】
続いて、図５および図６を用いて、ステップの取付け状態の目視確認の例を説明する。
図５および図６は、実施の形態１に係るステップ５の要部の斜視図である。
【００４３】
図５において、取付けボルト１３が締結されている途中の下側取付け具１６が示される。
【００４４】
作業員は、取付け工具１７によって取付けボルト１３を締結する。このとき、作業員は、取付け工具１７を介して、持上げバネ２５の弾性力に抗しながら取付けボルト１３を上方から下方に押し付ける。取付けボルト１３の下端は、下側固定部２２の貫通孔２３に入り込む。作業員は、取付け工具１７を介して取付けボルト１３を貫通孔２３にねじ込む。マーカー２６は、取付けボルト１３の後方に隠れる。作業員は、貫通孔２３の後方のマーカー２６が隠れていることによって取付けボルト１３が貫通孔２３に通されていることを確認できる。
【００４５】
図６において、取付けボルト１３が締結された状態の口金１１が示される。
【００４６】
取付けボルト１３の締結によって、上側固定部１９の下面と下側固定部２２の上面とは密着する。作業員は、口金１１より上方から上側固定部１９と下側固定部２２との境界を目視する。作業員は、上側固定部１９と下側固定部２２との境界の隙間が閉じていることの目視によってステップ５が取り付けられていることを確認できる。
【００４７】
以上に説明したように、実施の形態１に係るステップ５は、踏み板８と、上側取付け具１４と、下側取付け具１６と、を備える。踏み板８は、エスカレーター１の運転時において利用者が搭乗する部分である。上側取付け具１４は、踏み板８の前端部の下方に設けられる。上側取付け具１４は、上側保持部１８と、上側固定部１９と、を有する。上側保持部１８は、ステップ軸４を上方から保持する部分である。上側固定部１９は、上方から下方に取付けボルト１３が通される部分である。上側固定部１９は、上側保持部１８より前方に設けられる。支持軸１５は、左右方向に延びる。下側取付け具１６は、支持軸１５を回転軸として上側取付け具１４に回転可能に支持される。下側取付け具１６は、下側保持部２１と、下側固定部２２と、を有する。下側保持部２１は、ステップ軸４を下方から保持する部分である。下側保持部２１は、支持軸１５より前方に設けられる。下側固定部２２は、上方から下方に取付けボルト１３が通される部分である。下側固定部２２は、下側保持部２１より前方に設けられる。下側保持部２１がステップ軸４を保持している状態において、下側固定部２２の上面の法線Ｎは、取付けボルト１３の中心軸に対して後側に傾く。
【００４８】
作業員は、ステップ５の取付け状態を上側固定部１９と下側固定部２２との境界の隙間が閉じていることの目視によって確認する。ここで、当該隙間が閉じているか否かは、上側固定部１９の下面および下側固定部２２の上面に平行な面内から目視することによって確認できる。下側固定部２２の上面の法線Ｎは後方に傾いているので、下側固定部２２の上面は前方に向かって上側に上るように傾いている。このため、作業員は、口金１１より上方から上側固定部１９と下側固定部２２との境界を目視できる。すなわち、作業員は、踏み板８の上から口金１１の高さまで頭を下げて口金１１を覗き込まなくてもよい。これにより、ステップ５の取付け状態が目視により直接確認しやすくなる。
【００４９】
また、下側固定部２２は、マーカー２６を有する。マーカー２６は、上面の貫通孔２３から後方に延びる。貫通孔２３は、取付けボルト１３が通る孔である。
【００５０】
これにより、作業員は、貫通孔２３の後方のマーカー２６が見えることを確認することで、取付けボルト１３が貫通孔２３に挿入されていないことを容易に確認できる。また、マーカー２６によって、下側固定部２２の上面が上方から視認しやすくなる。このため、作業員は、上側固定部１９と下側固定部２２との境界の隙間の有無を目視確認しやすくなる。
【００５１】
また、下側固定部２２のマーカー２６の左右方向の幅は、下側固定部２２の上面の貫通孔２３の直径以下である。貫通孔２３は、取付けボルト１３が通る孔である。
【００５２】
取付けボルト１３が貫通孔２３に挿入されている状態において、マーカー２６は、取付けボルト１３の後方に隠れて前方から見えなくなる。このため、作業員は、貫通孔２３の後方のマーカー２６が見えないことを確認することで、取付けボルト１３が貫通孔２３に挿入されていることを容易に確認できる。
【００５３】
また、ステップ５は、持上げバネ２５を備える。持上げバネ２５は、取付けボルト１３の頭部に下方から接触する。持上げバネ２５は、上側固定部１９の上面において取付けボルト１３を下方から上方に持ち上げる。
【００５４】
取付けボルト１３が締結されていない状態または締結が不十分な状態において、取付けボルト１３の下端は、下側固定部２２より上方まで持ち上げられる。これにより、下側固定部２２の上面が上方から視認しやすくなる。このため、作業員は、上側固定部１９と下側固定部２２との境界の隙間の有無を目視確認しやすくなる。
【００５５】
また、持上げバネ２５は、取付けボルト１３の中心軸と同軸に設けられるコイルバネである。
【００５６】
持上げバネ２５は、取付けボルト１３を軸方向に沿って持ち上げる。このため、取付けボルト１３は、持上げバネ２５に持ち上げられるときに貫通孔２０などに引っかかりにくくなる。
【００５７】
実施の形態２．
実施の形態２では、実施の形態１で開示された例と相違する点について詳しく説明する。実施の形態２で説明しない特徴については、実施の形態１で開示された例のいずれの特徴が採用されてもよい。
【００５８】
図７は、実施の形態２に係る持上げバネの上面図である。
【００５９】
この例において、持上げバネ２５は、弾性を有する前後方向に延びる板材である。持上げバネ２５は、例えば金属板である。持上げバネ２５は、第１切込み２７と、第２切込み２８と、を有する。第１切込み２７は、例えば前端部に設けられる。第１切込み２７は、左右の辺のいずれかから左右方向の中間部に向かって延びる。この例において、第１切込み２７は、左の辺から左右方向の中間部に向かって延びる。第１切込み２７は、左右方向の中間部から後方に向かって曲がって延びる。第２切込み２８は、例えば後端部に設けられる。第２切込み２８は、後の辺から前方に向かって延びる。
【００６０】
続いて、図８から図１１を用いて、持上げバネ２５の上側固定部１９への取付けを説明する。
図８から図１１は、実施の形態２に係る持上げバネの取付けを示す図である。
【００６１】
まず、図８に示されるように、作業員は、上側固定部１９の上面において、取付けボルト１３の頭部より下方の部分を持上げバネ２５の左方から第１切込み２７に通す。取付けボルト１３は、持上げバネ２５の左右方向の中間部に配置される。作業員は、持上げバネ２５を前方にずらすことによって、取付けボルト１３を持上げバネ２５の前後方向の中間部２９に寄せる。このとき、作業員は、第１切込み２７の内側において取付けボルト１３が持上げバネ２５に当たるまで持上げバネ２５を前方にずらす。なお、この例において、上側固定部１９は、上面の貫通孔２０の周りに窪みを有しない。
【００６２】
次に、図９に示されるように、作業員は、持上げバネ２５の前端を上側固定部１９の前面に沿って下方に折り曲げる。
【００６３】
次に、図１０に示されるように、作業員は、持上げバネ２５の後端を上方に持ち上げる。持上げバネ２５は、前後方向の中間部２９において折り曲げられる。
【００６４】
次に、図１１に示されるように、作業員は、第１切込み２７より上方において、取付けボルト１３の頭部より下方の部分を第２切込み２８に通す。このように取り付けられた持上げバネ２５は、弾性力によって取付けボルト１３を上方に持ち上げる板バネとして機能する。
【００６５】
続いて、図１２および図１３を用いて、ステップ５の取付け状態の目視確認の例を説明する。
図１２および図１３は、実施の形態２に係るステップの要部の側面図である。
【００６６】
図１２において、取付けボルト１３が締結されていない状態の口金１１が示される。
【００６７】
取付けボルト１３が締結されていない状態において、持上げバネ２５は、取付けボルト１３を下方から上方に持ち上げる。取付けボルト１３の下端は、下側固定部２２より上方まで持ち上げられる。また、上側固定部１９の下面と下側固定部２２の上面との間に隙間が生じる。このとき、作業員は、当該隙間の有無を目視することによってステップ５の取付け状態を確認できる。
【００６８】
作業員は、取付け工具１７によって取付けボルト１３を締結する。このとき、作業員は、取付け工具１７を介して、持上げバネ２５の弾性力に抗しながら取付けボルト１３を上方から下方に押し付ける。取付けボルト１３の下端は、下側固定部２２の貫通孔２３に入り込む。作業員は、取り付け工具を介して取付けボルト１３を貫通孔２３にねじ込む。
【００６９】
図１３において、取付けボルト１３が締結された状態の口金１１が示される。
【００７０】
取付けボルト１３の締結によって、上側固定部１９の下面と下側固定部２２の上面とは密着する。作業員は、口金１１より上方から上側固定部１９と下側固定部２２との境界を目視する。作業員は、上側固定部１９と下側固定部２２との境界の隙間が閉じていることの目視によってステップ５が取り付けられていることを確認できる。
【００７１】
以上に説明したように、実施の形態２に係るステップ５の持上げバネ２５は、弾性を有する板材である。持上げバネ２５は、前後方向の中間部２９で折り曲げられる。持上げバネ２５は、第１切込み２７を前後方向の一方の端部に有する。持上げバネ２５は、第２切込み２８を前後方向の他方の端部に有する。持上げバネ２５において、取付けボルト１３の頭部より下方の部分が第１切込み２７に入り込む。持上げバネ２５において、取付けボルト１３の頭部より下方の部分が第１切込み２７より上方において第２切込み２８に入り込む。
【００７２】
持上げバネ２５は、取付けボルト１３が貫通孔１２に挿入されている状態においても取付けおよび取外しができる。このため、持上げバネ２５の清掃および交換などの保守作業が容易になる。
【００７３】
また、持上げバネ２５の第１切込み２７は、左右の辺のいずれかから左右方向の中間部に向かって延びる。第１切込み２７は、左右方向の中間部から第２切込み２８の方向に曲がって延びる。
【００７４】
持上げバネ２５は、取付けボルト１３を第１切込み２７および第２切込み２８に通すことによって上側固定部１９に取り付けられる。このため、持上げバネ２５は、取付けボルト１３が第１切込み２７および第２切込み２８に沿うように移動することで上側固定部１９から外れる可能性がある。ここで、第１切込み２７は、左右方向の中間部において方向を変えて延びている。このため、持上げバネ２５は、取付けボルト１３が第１切込み２７および第２切込み２８に沿うように移動しにくい。これにより、持上げバネ２５が上側固定部１９から外れにくくなる。
【００７５】
続いて、図１４を用いて実施の形態２の変形例を説明する。
図１４は、実施の形態２の変形例に係るステップの要部の側面図である。
【００７６】
図１４において、取付けボルト１３が締結されていない状態の口金１１が示される。
【００７７】
この例において、持上げバネ２５は、弾性を有する前後方向に延びる板材である。持上げバネ２５は、例えば金属板である。持上げバネ２５は、前後方向の中間部２９においてＳ字状に折り曲げられる。持上げバネ２５の後端部は、上側固定部１９の上面に例えばビス留めなどによって固定される。持上げバネ２５は、前端部に切込み３０を有する。切込み３０は、前の辺から後方に向かって延びる。取付けボルト１３の頭部より下方の部分は、切込み３０に通される。持上げバネ２５は、弾性力によって取付けボルト１３を上方に持ち上げる板バネとして機能する。
【００７８】
このように、この例に示すステップ５の持上げバネ２５は、弾性を有する板材である。持上げバネ２５は、前後方向の中間部２９で折り曲げられる。持上げバネ２５は、前後方向の一方の端部が上側固定部１９の上面に固定される。持上げバネ２５は、切込み３０を前後方向の他方の端部に有する。持上げバネ２５において、取付けボルト１３の頭部より下方の部分が切込み３０に入り込む。
【００７９】
持上げバネ２５は、取付けボルト１３が貫通孔１２に挿入されている状態においても取付けおよび取外しができる。このため、持上げバネ２５の清掃および交換などの保守作業が容易になる。
【符号の説明】
【００８０】
１  エスカレーター、  ２  駆動装置、  ３  ステップチェーン、  ４  ステップ軸、  ５  ステップ、  ６  手摺、  ７  手摺駆動装置、  ８  踏み板、  ９  ライザー、  １０  ブラケット、  １１  口金、  １２  貫通孔、  １３  取付けボルト、  １４  上側取付け具、  １５  支持軸、  １６  下側取付け具、  １７  取付け工具、  １８  上側保持部、  １９  上側固定部、  ２０  貫通孔、  ２１  下側保持部、  ２２  下側固定部、  ２３  貫通孔、  ２４  窪み、  ２５  持上げバネ、  ２６  マーカー、  ２７  第１切込み、  ２８  第２切込み、  ２９  中間部、  ３０  切込み
【図１】
2020147394.tif 000003
【図２】
2020147394.tif 000004
【図３】
2020147394.tif 000005
【図４】
2020147394.tif 000006
【図５】
2020147394.tif 000007
【図６】
2020147394.tif 000008
【図７】
2020147394.tif 000009
【図８】
2020147394.tif 000010
【図９】
2020147394.tif 000011
【図１０】
2020147394.tif 000012
【図１１】
2020147394.tif 000013
【図１２】
2020147394.tif 000014
【図１３】
2020147394.tif 000015
【図１４】
2020147394.tif 000016